(57)【特許請求の範囲】
【請求項１】
天板と底板、左右の両側板がそれぞれ対向する角柱状胴部の前後開放端部がそれぞれ前板と後板で閉鎖され、前記胴部の所定の位置に振出口を設けてなる直方体状の中箱と、上板と下板、左右両側板がそれぞれ対向する角柱状の筒状体とからなり、前記筒状体の内側で天板に重なるように設けた糊代片を係止板とし、又は、前記側板の貼り合わせる糊代片を延長して天板に重なるように設けて係止板とし、前記中箱が、前記筒状体にスライド可能に収納されて、前記中箱の前記底板の長辺または短辺を延長して設けた折り返し片が外面側に折り返されて、前記係止板のスライド方向に長く形成された長方形の切り欠きに嵌挿され、前記中箱の収納位置において機能する前記折り返し片の後側の端縁あるいは曲折部と前記切り欠きの後側端縁同志の係合による第１ロック手段若しくは前記前板の長手方向の少なくとも一方の端部を延設して形成されてなる突出片の側面と前記筒状体の前記側板の前側端縁との係合による第３ロック手段と前記振出口が開口する前記中箱の振出位置において機能する前記折り返し片の前側の端縁あるいは曲折部と前記切り欠きの前側端縁同志の係合による第２ロック手段とによって、前記中箱の前記筒状体内のスライド可能幅が規制されていることを特徴とする振出しカートン。
【請求項２】
前記収納位置において、前記後板の長手方向の少なくとも一方の端部を延設して形成されてなる突出片の側面と前記筒状体の前記側板の後側端縁とが係合する第４ロック手段によって、前記中箱が、前記収納位置から独りでにスライド開始することが防止されていることを特徴とする請求項１に記載の振出しカートン。
【請求項３】
前記上板の一部に前記中箱移動用の操作窓が設けられていることを特徴とする請求項１又は２に記載の振出しカートン。
【請求項４】
前記収納位置において、前記操作窓から現れる前記天板部分に滑り止め加工がなされていることを特徴とする請求項１乃至３のいずれかに記載の振出しカートン。
【発明の詳細な説明】
【０００１】
【発明の属する技術分野】
本発明は、筒状体（外装スリーブ）の中にスライド可能に収納された中箱の振出口より粒状の内容物を取り出す振出しカートンに関する。
【０００２】
【従来の技術】
振出しカートンは常時ポケット等に入れておき、必要時に振出口を開封して内容物を適量取り出し、再度、振出口を元の閉鎖状態に戻すことができるものであって、粒状の口腔清涼剤等に使用されている。
振出しカートンには種々のタイプがあるが、従来から使用されている代表的なものとして、中箱と筒状体からなる振出しカートンがある。
例えば、特開平９−２８６４３１号公報に開示されている振出しカートン（携帯用の紙箱）８０は、図６に示すように、角柱状の筒状体７０とその内部をスライドする直方体の中箱６０とからなり、中箱６０の図６（ａ）に示す収納位置から最短移動で振出口（図示せず）が全開する図６（ｂ）で示す振出位置において、中箱の移動を停止させる２種のロック手段が提案されている。第１のロック手段は、図６（ｂ）に示すように、筒状体７０の底板３１に設けられている窓３２の端縁３３と中箱の後板２１を延設して形成された突出片２３の側面との係止によるものであり、第２のロック手段は、図示は省略するが、中箱の底板に設けられている繋止用舌片と筒状体７０の底板３１に設けられている折り返し片との係止によるものである。
また、中箱の収納位置において、中箱の逆方向への移動を妨げるロック手段も機能している。
【０００３】
【発明が解決しようとする課題】
しかるに、特開平９−２８６４３１号公報に開示されている振出しカートンの振出位置での第１のロック手段は、係止力が充分でなく、力の入れ具合によっては、さらに前方（矢印方向）に移動してしまい、中箱６０が、抜け落ちる可能性がある。それは、突出片２３が折れ曲がり易いことと、係止そのものが、湾曲し易い広幅の筒状体７０の底板３１の中央部で行われるので不安定であるためである。また、使用を重ねると、突出片２２が疲労し係止力が不足してくる問題もある。
この第１ロック手段の原理は、図示はされていないが収納位置での後方向のスライド防止にも使用されているが、中箱６０が、何らかの拍子に逆方向に抜け落ちる可能性がある。
また、第２のロック手段は、係止力は充分であるが、繋止用舌片と折り返し片とを係止させるには中箱６０と筒状体７０の底側の間隙が広くなければならず、必要以上に厚みのある振出しカートンとなり、また折り返し片の形成のため筒状体７０のブランクの一部は突出するので、材料コストを押し上げるという問題がある。
本発明は、前述の問題点に鑑みてなされたもので、中箱が、収納位置と振出位置で確実に係止し、筒状体から抜け落ちる心配がなく、コンパクトで経済的な振出しカートンの提供を目的とする。
【０００４】
【課題を解決するための手段】
前記課題を解決するためになされた本発明による振出しカートンは、天板と底板、左右の両側板がそれぞれ対向する角柱状胴部の前後開放端部がそれぞれ前板と後板で閉鎖され、前記胴部の所定の位置に振出口を設けてなる直方体状の中箱と、上板と下板、左右両側板がそれぞれ対向する角柱状の筒状体とからなり、前記筒状体の内側で天板に重なるように設けた糊代片を係止板とし、又は、前記側板の貼り合わせる糊代片を延長して天板に重なるように設けて係止板とし、前記中箱が、前記筒状体にスライド可能に収納されて、前記中箱の前記底板の長辺または短辺を延長して設けた折り返し片が外面側に折り返されて、前記係止板のスライド方向に長く形成された長方形の切り欠きに嵌挿され、前記中箱の収納位置において機能する前記折り返し片の後側の端縁あるいは曲折部と前記切り欠きの後側端縁同志の係合による第１ロック手段若しくは前記前板の長手方向の少なくとも一方の端部を延設して形成されてなる突出片の側面と前記筒状体の前記側板の前側端縁との係合による第３ロック手段と前記振出口が開口する前記中箱の振出位置において機能する前記折り返し片の前側の端縁あるいは曲折部と前記切り欠きの前側端縁同志の係合による第２ロック手段とによって、前記中箱の前記筒状体内のスライド可能幅が規制されていることを特徴とするものであって、前記第１ロック手段は、前記折り返し片の後側の端縁あるいは曲折部と前記切り欠きの後側端縁同志の係合により、前記第２ロック手段は、前記折り返し片の前側の端縁あるいは曲折部と前記切り欠きの前側端縁同志の係合により、前記第３ロック手段は、前記前板の長手方向の少なくとも一方の端部を延設して形成されてなる突出片の側面と前記筒状体の前記側板の前側端縁との係合により、それぞれ構成される。また、前記収納位置において、前記後板の長手方向の少なくとも一方の端部を延設して形成されてなる突出片の側面と前記筒状体の前記側板の後側端縁とが係合する第４ロック手段によって、前記中箱が、前記収納位置から独りでにスライド開始することが防止されるようにしてもよい。さらに、前記上板の一部に前記中箱移動用の操作窓を設け、前記収納位置において、前記操作窓から現れる前記天板部分に滑り止め加工を行うことが好ましい。
【０００５】
【発明の実施の形態】
以下、図面によって本発明による振出しカートンをさらに詳細に説明する。図１は、参考例となる振出しカートンの中箱と筒状体のブランク展開図である。中箱のブランク１０は、図１（ａ）に示すように、それぞれが略矩形状の側板１、天板２、側板３、底板４、糊代片Ｎをこの順に折線ａ〜ｄを介して連接してなる胴部ブランクの天板３の前側（図では上部）の辺に折線ｅ，ｆを介して前板２−１と差し込み片２−２をこの順に連接し、天板３の後側（図では下部）の辺に折線ｇ，ｈを介して後板２−３と差し込み片２−４をこの順に連接し、側板１、３の前側と後側の両辺に小フラップ１−１、１−２、３−１、３−２をそれぞれ連接してなるものである。また、天板２と側板３にまたがるように振出口６が打ち抜かれ、側板１には，その一部がコの字状に打ち抜かれ、側板１の長手方向に折線ｉ（リード罫が好ましい）によって１８０°折り返される折り返し片５が形成されている。前板２−１の両端と後板２−３の片側には、突出片Ａ３とＡ４が、それぞれ形成されている。さらに、前板２の一部には、エンボスによる凸状部Ｅが形成されている。尚、中箱成形時の胴貼り用の接着領域が網点によって示されている。
【０００６】
筒状体のブランク２０は、図１（ｂ）に示すように、全体が略矩形状であり、係止板１１、上板１２、側板１３、下板１４、側板１５をこの順に折線ｍ〜ｊを介して連接してなるものである。係止板１１の一部には、切り欠き１７が形成され、上板１２の側板１３寄りの所定の位置に中箱移動用の操作窓１６が打ち抜かれて設けられている。
尚、筒状体成形時の胴貼り用の接着領域が網点によって示されている。
【０００７】
図２は、参考例となる振出しカートンの中箱と筒状体の斜視図である。中箱３０は、図２（ａ）に示すように、完成時の実際の形状は直方体であるが、各部の構造を分かりやすくするような描き方をしている。参考例となる振出しカートンの中箱３０を成形するには、中箱のブランク１０を折線ｂ，ｄで三つ折りし、糊代Ｎが内側になるように側板１と糊代Ｎの対向面同志を接着し、フラットに折り畳まれた中箱３０を角柱状に起こし、後側開放端部を小フラップ１−２、３−２、後板２−３、差し込み片２−４によって封止し、さらに、側板１に形成されている折り返し片５を折線ｉで側板１上に１８０°折り返した状態にする。折り返された折り返し片５は少なくともカートンブランクの厚みだけ側板１面よりも突出する。この折り返し片５の前側の端縁Ａ２と後側の曲折部Ａ１が後述するロック手段の重要な構成要素となる。
【０００８】
筒状体４０は、図２（ｂ）に示すように、角柱状であって、その成形は、筒状体のブランク２０を折線ｍ，ｋで三つ折りし、係止板１１が内側になるように係止板１１と側板１５を接着させて得られるフラットに折り畳まれた筒状体４０を角柱状に起こせばよい。
図２（ｂ）に示すように、筒状体４０の上板１２には、片手で持った時に親指が当たる部分に親指が入る程度の大きさの操作窓１６が形成されている。これは内側に収納される中箱３０の移動（スライド）操作に使用される。
前記の係止板１１には切り欠き１７が設けられていて、切り欠き１７の前側端縁Ｂ２と後側端縁Ｂ１とが、折り返し片５のストッパーとして機能し、後述するロック手段の重要な構成要素となっている。
このロック手段は、側板１５の背後にあって、通常の板紙をブランク基材として使用する場合には表面からは目視できない。
【０００９】
図３は、参考例となる振出しカートンの斜視図および機能説明図である。参考例となる振出しカートン５０の機能を分かりやすく説明するため、図５においては中箱３０を実線で、筒状体４０を点線で示している。図３（ａ）は、筒状体４０に、中箱３０が挿入され、中箱３０の前側開放端部から中身を充填した後に、小フラップ１ー１、３−１、前板２−１、差し込み片２−２で前側開放端部を封止した本発明による振出しカートン５０の組立状態を示し、また中箱３０の収納位置を示している。通常、充填済の本発明による振出しカートン５０は、さらに、透明なプラスチックフィルムでオーバーラップされて流通、販売される。図３（ｂ）は、操作窓１６を通して指で中箱３０を前方に押し出して、所定の位置までスライドさせ、振出口６が開口した振出位置を示している。この位置で適量の内容物を振りだした後、再度図３（ａ）に示す収納位置にまで中箱３０を押し戻すことができる。
【００１０】
図３において最も特徴的なポイントは、側板１の上に折り返された折り返し片５が、中箱３０の側板１と筒状体４０の側板１５によって形成される間隙を摺動するが、その範囲は係止板１１の切り欠き１７の領域内に限定されていることである。
すなわち、図３（ａ）に示す中箱３０の収納位置において、折り返し片５の曲折部Ａ１とストッパーとして機能する切り欠き１７の後側端縁Ｂ１とが係止することによる第１のロック手段によって、中箱３０の後方へのスライドが防止され、また図３（ｂ）に示す振出位置において、折り返し片５の端縁Ａ２とストッパーとして機能する切り欠き１７の前側端縁Ｂ２とが係止することによる第２のロック手段によって、中箱３０のさらなる前方向へのスライドが防止されていることである。図３において円形はこの第１のロック手段と第２のロック手段が機能している状態を示している。
この第１、第２ロック手段は、カートン基材の端縁同志、あるいは端縁と曲折部同志の係止によるものであって、それらによる係止は極めて強固に行われ、一旦折り返し片５が切り欠き１７に嵌まり込むと、中箱３０のスライドは、所定の幅（切り欠き１７の前後幅と折り返し片５の前後幅の差）を越えてスライドすることはできない。従って、中箱３０が後方向に抜け落ちたり、振出し位置を越えて必要以上にスライドしてしまう心配は全くなくなっている。
【００１１】
さらに、図３（ａ）に示す収納位置において、中箱３０の後板２−３の長手方向の一方の端部に設けられた突出片Ａ４の側面と筒状体４０の後側開放端部の端縁Ｂ４（側板１５と係止板１１の端縁）とが係止することによる第４のロック手段によって、中箱３０が、不用意に、また独りでにスライドを開始しないように防止している。
この第４ロック手段を、後板２−３の長手方向の両端に備えるようにしてもよい。
この第４のロック手段は、突出片Ａ４の側面と後側開放端部Ｂ４との係止によるため、前述の第１、第２ロック手段に比較して係止力は弱く、そのため操作窓１６を通して中箱３０をスライドさせる場合にある程度の抵抗は示すものの容易にロックが解除される。
また、中箱３０が中空体であるため、中箱３０が収納位置に戻る瞬間、突出片Ａ３が後側開放端部Ｂ３によって弾かれ、音がするので収納位置への戻りを指に伝わる感覚とともに音感で確認することができる。
【００１２】
前述の第１ロック手段（Ａ１／Ｂ１）を補足する第３のロック手段をさらに設けるようにしてもよい。それは、図３（ａ）、（ｂ）に示すように、中箱３０の前板２−１の長手方向の端部を延設して設けた突出片Ａ３の側面と筒状体４０の前側開放端部の端縁Ｂ３（側板１５／係止板１１及びあるいは側板１３の前側の端縁）とを係止させることによるものである。この第３のロック手段によって、中箱３０の後方向へのスライド防止はさらに完全なものとなる。
この第４ロック手段は、後述するように第１ロック手段が形成出来ない場合、補足手段ではなく第１ロック手段に代わって重要な役割を果たすものである。
【００１３】
本発明による振出しカートン５０の中箱３０のスライド開始にあたっては、前述の第３のロックの係止力に打ち勝つ強さで、天板２の操作窓１６から覗いている部分に指を押し当てて、前方に押し出せばよい。従って、操作性をよくするために、天板２の指の押し当て部分をエンボス、あるいはメッシュ状にハーフカットを施す等の方法で粗面化するか、ゴム系のインキによる部分印刷を行って表面の滑り止め加工を施しておくことが好ましい。
【００１４】
本発明のポイントは、前述の第１ロック手段と第２ロック手段とによる中箱３０のスライド範囲規制手段にあるが、これを実現する折り返し片５と切り欠き１７の組み合わせ形態は、以上説明してきた振出しカートン５０に限定されることなく、次のようなバリエーションが可能である。図４は、別の参考例となる振出しカートンの第１、第２ロック手段の補足説明図  である。図４は、ロック手段が側板側１に沿って形成される場合である。図４（ａ）に示すように、底板４の一部を打ち抜いて形成した折り返し片５を折線ｃで側板１上に２７０°折り返した状態で前後に両ストッパーのある切り欠き１７に嵌挿させるようにしてもよい。また、図４（ｂ）、（ｃ）に示すように、中箱３０の後側を成形する際に、内側に折り込まれるべき小フラップ１−２を表側の１８０°折り返した状態で、片側にのみストッパーのある切り欠き１７’に嵌挿させてもよい。ただし、この場合は、第２ロックの手段は失っているので、第４ロックでこの分を補えばよい。図５は、本発明による振出しカートンの第１、第２ロック手段の補足説明図  である。図５は、ロック手段が底板４側に沿って形成される場合である。図５（ａ）に示すように、底板４の端部を延長して折り返し片５とし、これを１８０°底板側に折り畳んだ状態で下板１４側に形成された両側にストッパーのある切り欠き１７に嵌挿させるようにしてもよい。ただし、この場合は、図１に示す中箱のブランク１０の構成を若干変更する必要がある。さらに、図５（ｃ）、（ｄ）に示すように、中箱３０の内側に差し込むべき差し込み片２−４の一部を底板４の表側に折り畳んだ状態で片側にのみストッパーのある切り欠き１７’に嵌挿させてもよい。ただし、この場合は、第２ロックの手段は失っているので、第４ロックでこの分を補えばよい。
【００１５】
本発明の振出しカートンのブランク基材には、広範囲の板紙の使用が可能であるが、剛度が有り、耐折強度の強い、カード系、特板系が好適に使用できる。また長期にわたり振出口の開閉を繰返し、開閉の回数が多くなる場合には折線や切れ目線等からの破壊等を起きにくくするために、ポリ塩化ビニル、ポリプロピレン、ポリエチレン、ポリエチレンテレフタレート、ポリカーボネート、ポリスチレン等のフィルムを板紙にラミネートするとよい。また、このラミネートによって防湿性の向上を図ることもできる。さらに、板紙に代わって、プラスチックシートをブランク基材に使用してもよい。例えば、タルク等のフィラーを混入して不透明にしたポリプロピレンシート、アモルファスポリエチレンテレフタレート等のシートをそのままブランク基材として使用することができる。また、内容物によっては透明プラスチックシートを使用して、中身を見せるようなスケルトン型にしてもよい。
【００１６】
また、ブランク基材への印刷にはオフセット、グラビア、シルクスクリーン等のいかなる周知の印刷方法を用いてもよい。またエンボス、箔押し、ＯＰニスコート等の後加工を行ってもよい。これら印刷及び後加工は板紙あるいはプラスチックのシート状での加工であるため美しい、迫力のあるシャープな仕上がりとなる。なお、本発明による振出しカートンには密封性はなく、また塵埃の混入防止のため、成形充填後に振出しカートン全体を防湿性プラスチックフィルムでオーバーラップすることが好ましい。
【００１７】
本発明による振出しカートンは、実施例の記載に限定されることなく、本発明の要旨を逸脱しない範囲内で種々の変形が可能である。例えば、前述の中箱３０には、開放端部を封鎖するために前板２−１と後板２−３、差し込み片２−２、２−４、小フラップ１−１、１−２、３−１、３−２によるいわゆる差し込みフラップカートンが採用されているが、カートン成形時に前板と後板を形成するメインフラップ（図示せず）同志を接着するいわゆるシールエンドカートンを採用してもよい。
また、中箱３０と筒状体４０の組み合わせ方法は前述のように、角柱状に起こされた筒状体４０の一方の端部から中箱３０を嵌挿させる以外に、成形された中箱３０を筒状体４０のブランク２０で包み込むラップラウンド方式を採用してもよい。
【００１８】
【発明の効果】
本発明による振出しカートンによれば、ブランク基材の端縁同志、あるいは端縁と曲折部同志の係止による第１、第２ロック手段が機能して、中箱のスライド可能幅が規制されて、中箱を収納位置と振出位置において確実に停止させることができ、一旦、中箱が筒状体に挿入されると、このロック手段の係止力は強力であって、疲労することがなく極めて多数回の繰り返し使用が可能になる。従って、中箱３０が使用中に抜け落ちる心配がなく、長期にわたり安心して使用することができる。また、第３のロック手段が機能していて、携帯中に、収納位置から不用意に、また独りでにスライドが始まることを回避することができる。さらに、ブランク形状は略矩形であって、ブランクの面取りが容易となり、板紙のコストダウンにつながる。
【図面の簡単な説明】
【図１】参考例となる振出しカートンの中箱と筒状体のブランク展開図
【図２】参考例となる振出しカートンの中箱と筒状体の斜視図
【図３】参考例となる振出しカートンの斜視図および機能説明図
【図４】別の参考例となる振出しカートンの第１、第２ロック手段の補足説明図
【図５】本発明による振出しカートンの第１、第２ロック手段の補足説明図
【図６】従来の振出しカートンの説明図
【符号の説明】
１    係止板
１−１、１−２    小フラップ
２    天板
２−１    前板
２−２    差し込み片
３    側板
３−１、３−２    小フラップ
４    底板
５    折り返し片
６    振出口
１０    参考例となる振出しカートンの中箱のブランク
１１    係止板
１２    上板
１３    側板
１４    下板
１５    側板
１６    操作窓
１７    切り欠き
２０    参考例となる振出しカートンの筒状体のブランク
３０    参考例となる振出しカートンの中箱
４０    本発明による振出しカートンの筒状体
５０    参考例となる振出しカートン
ａ〜ｎ    折線
Ａ１    折り曲げ片の曲折部
Ａ２    折り曲げ片の前側端縁
Ａ３    前板の突出片
Ａ４    後板の突出片
Ｂ１    切り欠きの後側端縁
Ｂ２    切り欠きの前側端縁
Ｂ３    筒状体の前側開放端部の端縁
Ｂ４    筒状体の後側開放端部の端縁
Ｅ    エンボスによる凸状部
Ｎ    糊代片
【図１】
0004202476.tif 000002
【図２】
0004202476.tif 000003
【図３】
0004202476.tif 000004
【図４】
0004202476.tif 000005
【図５】
0004202476.tif 000006
【図６】
0004202476.tif 000007